(57)【要約】【課題】浸水や衝撃などの外的作用により故障・破損等することを防止できると共に、誤作動を防止し、防犯機能を高めることができる防犯シャッターシステムを提供する。【解決手段】座板部１３と複数のスラット部１５を有し開口部を開閉するシャッター１２と、所定の高さの位置に設けられ座板部１３又は／及びスラット部１５の移動に伴う屈曲を検出する検出手段２２と、を有する構成とした。【選択図】      図１
2005290743.tif 000002
【特許請求の範囲】
【請求項１】
座板部と複数のスラット部を有し開口部を開閉するシャッターと、
所定の高さの位置に設けられ前記座板部又は／及び前記スラット部の移動に伴う屈曲を検出する検出手段と、
を有することを特徴とする防犯シャッターシステム。
【請求項２】
前記検出手段の検出信号に基づいて前記シャッターを降下させる制御手段を有することを特徴とする請求項１に記載の防犯シャッターシステム。
【請求項３】
前記開口部を開閉するように前記シャッターを上下方向に移動させるシャッター移動手段と、
前記シャッター移動手段を作動させる駆動手段と、を有し、
前記制御手段は、前記検出手段の検出信号に基づいて前記駆動手段を制御することを特徴とする請求項２に記載の防犯シャッターシステム。
【請求項４】
所定の音を出力する音出力手段又は光を出射する光出射手段の少なくとも一方を有し、
前記制御手段は、前記検出手段の検出信号に基づいて、前記駆動手段の制御と共にあるいは前記駆動手段の制御に替えて、前記音出力手段から警報を出力させ又は／及び前記光出射手段から光を出射させることを特徴とする請求項２又は３に記載の防犯シャッターシステム。
【請求項５】
前記検出手段は、前記シャッターが前記開口部を閉じた状態で前記座板部又は／及び前記スラット部からの検出量を基準値として記憶し、前記基準値からの前記検出量の変動が所定の時間の範囲内で安定したと判断した場合には、前記検出手段から前記検出信号が出力されないことを特徴とする請求項１乃至４のいずれか１項に記載の防犯シャッターシステム。
【請求項６】
前記検出手段は、変動後の前記検出量を前記基準値として更新することを特徴とする請求項５に記載の防犯シャッターシステム。
【請求項７】
前記座板部又は／及び前記スラット部に、前記検出手段の検出能力を高める高検出手段を設けたことを特徴する請求項１乃至６のいずれか１項に記載の防犯シャッターシステム。
【発明の詳細な説明】
【技術分野】
【０００１】
本発明は、シャッターの持ち上げを検出し、さらには侵入者を威嚇・撃退し、侵入者の屋内への侵入を阻止する防犯シャッターシステムに関する。
【背景技術】
【０００２】
従来からシャッターの座板部分の下方の隙間にジャッキやバールを挿入させて、座板を持ち上げ、屋内に侵入して金品を奪うという窃盗が頻発している。
かかる窃盗を防止するため、シャッターの座板部分が持ち上げられたことを検出する防犯シャッターシステムが知られている。すなわち、図９に示すように、防犯シャッターシステムを構成するシャッターカーテン６００の座板６０２には障害物感知器（変位検出手段）６０４が設けられており、シャッターカーテン６００が下降すると、障害物感知器６０４の作動スイッチ（変位検出手段）６０６がＯＮとなり、開閉機Ｍが停止し全閉停止状態となる。この全閉時に座板６０２が持ち上げられると、作動スイッチ６０６がＯＦＦとなり、障害物感知器６０４が感知信号を送信し、受信器（変位検出手段）６０８が感知信号を受信すると、制御部６１０が防犯信号を外部出力する（下記特許文献１参照）。
【特許文献１】特開２０００−７３６７９号公報
【発明の開示】
【発明が解決しようとする課題】
【０００３】
しかしながら、上記防犯シャッターシステムは、シャッターカーテンが閉じると障害物感知器が床面近傍に位置することになる。このため、豪雨や台風時に床面が浸水等したり、あるいは座板が床面に激しく衝突すると、障害物感知器が精密部品であるため、故障・破損等してしまう恐れがある。障害物感知器が故障・破損等すると、本来の防犯機能が作用しなくなる問題がある。
また、上記変位検出手段がシャッターカーテンの振動等を検出するように構成されているため、風圧等によりシャッターカーテンに振動が生じた場合でも、変位検出手段が検出してしまい煩わしいばかりでなく、誤作動の原因となる問題となる。
【０００４】
そこで、本発明は、上記事情を考慮し、浸水や衝撃などの外的作用により故障・破損等することを防止できると共に、誤作動を防止し、防犯機能を高めることができる防犯シャッターシステムを提供することを目的とする。
【課題を解決するための手段】
【０００５】
請求項１に記載の発明は、座板部と複数のスラット部を有し開口部を開閉するシャッターと、所定の高さの位置に設けられ前記座板部又は／及び前記スラット部の移動に伴う屈曲を検出する検出手段と、を有することを特徴とする。
【０００６】
請求項１に記載の発明によれば、シャッターが開口部を閉じた状態でシャッターが持ち上げられると、シャッターが上方に移動する。このとき、座板部又は／及びスラット部も移動し、その移動に伴う屈曲が検出手段により検出される。これにより、ユーザにシャッターの異常を知らせることができ、防犯機能を高めることができる。
また、検出手段は所定の高さの位置に設けられているため、床面の浸水やシャッターを閉じる際に生じる衝撃などにより、検出手段が故障・破損等してしまうことを防止できる。
さらに、強風や地震等の自然作用によりシャッターが持ち上げられて座板部又は／及びスラット部が屈曲することがないため、検出手段により座板部又は／及びスラット部の移動に伴う屈曲が検出されることがない。これにより、自然作用が原因となる誤作動を防止することができる。
なお、本明細書において「移動に伴う屈曲」とは、電動あるいは自重降下式のシャッターにおいてはその座板部やスラット部を持ち上げた場合に、シャッターは上方へ移動しようとするが、シャッターの巻き取りドラム（実施形態では巻上部に相当）が回転しないので、シャッターが上方へ殆ど移動せず、単数又は複数のスラット部だけが屈曲傾斜状になり、このスラット部の屈曲傾斜状を意味するものである。
【０００７】
請求項２に記載の発明は、請求項１に記載の防犯シャッターシステムにおいて、前記検出手段の検出信号に基づいて前記シャッターを降下させる制御手段を有することを特徴とする。
【０００８】
請求項２に記載の発明によれば、検出手段の検出信号に基づいて制御手段によりシャッターが降下される。これにより、シャッターで開口部を閉じることができ侵入者の屋内への侵入を阻止できる。また、シャッターが降下し床面と衝突するときに発生する落下音により侵入者を威嚇・撃退することができる。
【０００９】
請求項３に記載の発明は、請求項２に記載の防犯シャッターシステムにおいて、前記開口部を開閉するように前記シャッターを上下方向に移動させるシャッター移動手段と、前記シャッター移動手段を作動させる駆動手段と、を有し、前記制御手段は、前記検出手段の検出信号に基づいて前記駆動手段を制御することを特徴とする。
【００１０】
請求項３に記載の発明によれば、検出手段からの検出信号に基づいて駆動手段が制御手段により制御されると、シャッター移動手段が作動され、シャッターが下方に移動させられることにより、開口部を閉じることができる。これにより防犯機能を高めることができる。
【００１１】
請求項４に記載の発明は、請求項２又は３に記載の防犯シャッターシステムにおいて、所定の音を出力する音出力手段又は光を出射する光出射手段の少なくとも一方を有し、前記制御手段は、前記検出手段の検出信号に基づいて、前記駆動手段の制御と共にあるいは前記駆動手段の制御に替えて、前記音出力手段から警報を出力させ又は／及び前記光出射手段から光を出射させることを特徴とする。
【００１２】
請求項４に記載の発明によれば、検出手段の検出信号に基づいて音出力手段又は／及び光出射手段が制御手段により制御され、音出力手段から警報が出力され又は／及び光出射手段から光が出射される。また、略同時に、検出手段の検出信号に基づいて駆動手段が制御される場合には、シャッターが下方に移動させられて、開口部が閉じられる。これらにより、侵入者を威嚇・撃退させることができると共に、侵入者の屋内への侵入を阻止することができる。
【００１３】
請求項５に記載の発明は、請求項１乃至４のいずれか１項に記載の防犯シャッターシステムにおいて、前記検出手段は、前記シャッターが前記開口部を閉じた状態で前記座板部又は／及び前記スラット部からの検出量を基準値として記憶し、前記基準値からの前記検出量の変動が所定の時間の範囲内で安定したと判断した場合には、前記検出手段から前記検出信号が出力されないことを特徴とする。
【００１４】
請求項５に記載の発明によれば、検出手段が、シャッターが開口部を閉じた状態で座板部又は／及びスラット部からの検出量を基準値として記憶しており、基準値からの検出量の変動が所定の時間の範囲内で安定したと判断した場合には、検出手段から検出信号が出力されない。このように、例えば、シャッターの座板部又は／及びスラット部の近傍に偶発的に物体が置かれ検出手段での検出量が一時的に変動した場合でも、検出手段から検出信号が出力されないため、防犯シャッターシステムの誤作動を防止できる。
【００１５】
請求項６に記載の発明は、請求項５に記載の防犯シャッターシステムにおいて、前記検出手段は、変動後の前記検出量を前記基準値として更新することを特徴とする。
【００１６】
請求項６に記載の発明によれば、検出手段が変動後の検出量を基準値として更新するため、基準値をその都度設定し直す必要がなく、防犯シャッターシステムの防犯機能を維持できる。
【００１７】
請求項７に記載の発明は、請求項１乃至６のいずれか１項に記載の防犯シャッターシステムにおいて、前記座板部又は／及び前記スラット部に、前記検出手段の検出能力を高める高検出手段を設けたことを特徴する。
【００１８】
請求項７に記載の発明によれば、シャッターの座板部又は／及びスラット部には、検出手段の検出能力を高める高検出手段が設けられているため、検出手段での検出精度を高めることができる。これにより、シャッターの座板部又は／及びスラット部の僅かな移動も検出手段で検出することができ、防犯機能を大幅に高めることができる。
【００１９】
また、請求項５乃至７のいずれか１項に記載の防犯シャッターシステムにおいて、前記検出手段が、光を発光する発光部と、前記座板部又は／及び前記スラット部で反射された光を受光する受光部と、前記受光部で受光された光の受光量を算出する演算部と、前記シャッターが前記開口部を閉じた状態の前記座板部又は／及び前記スラット部で反射された光の受光量を前記基準値として記憶する記憶部と、前記検出信号を前記制御部に出力する信号送信部と、を有する防犯シャッターシステムでもよい。
【００２０】
この防犯シャッターシステムによれば、発光部からシャッターの座板部又は／及びスラット部に向けて光が発光すると、その一部がシャッターの座板部又は／及びスラット部で反射され、この反射された光が受光部により受光される。受光部で受光された光の受光量が演算部により算出され、記憶手段に記憶された基準値と比較される。受光量が基準値に対して変動していると、信号送信部から制御部に検出信号が出力される。これにより、シャッターの座板部又は／及びスラット部が移動したことを容易に検出することができる。
【００２１】
さらに、上記防犯シャッターシステムは、前記座板部又は／及び前記スラット部に、光の反射率を高める高反射手段を設けたものでもよい。
【００２２】
この防犯シャッターシステムによれば、シャッターの座板部又は／及びスラット部には、光の反射率を高める高反射手段が設けられているため、検出手段の受光部で受光される光の受光量を増加させることにより検出手段の検出精度を高めることができる。これにより、シャッターの座板部又は／及びスラット部の僅かな移動も検出手段で検出することができ、防犯機能を大幅に高めることができる。
【発明の効果】
【００２３】
請求項１に記載の発明は、シャッターが開口部を閉じた状態でシャッターが持ち上げられると、座板部又は／及びスラット部が移動し、その移動に伴う屈曲が検出手段により検出される。これにより、ユーザにシャッターの異常を知らせることができ、防犯機能を高めることができる。
また、検出手段は所定の高さの位置に設けられているため、床面の浸水やシャッターを閉じる際に生じる衝撃などにより、検出手段が故障・破損等してしまうことを防止できる。
さらに、強風や地震等の自然作用によりシャッターが持ち上げられて座板部又は／及びスラット部が屈曲することがないため、検出手段により座板部又は／及びスラット部の移動に伴う屈曲が検出されることがない。これにより、自然作用が原因となる誤作動を防止することができる。
【００２４】
請求項２に記載の発明は、検出手段の検出信号に基づいて制御手段によりシャッターが降下されるため、シャッターで開口部を閉じることができる。この結果、侵入者の屋内への侵入を阻止できる。
【００２５】
請求項３に記載の発明は、検出手段からの検出信号に基づいて駆動手段が制御手段により制御されると、シャッター移動手段が作動され、シャッターが下方に移動させられることにより、開口部を閉じることができる。これにより防犯機能を高めることができる。
【００２６】
請求項４に記載の発明は、検出手段の検出信号に基づいて音出力手段又は／及び光出射手段が制御手段により制御されるため、音出力手段から警報が出力され又は／及び光出射手段から光が出射される。また、略同時に、検出手段の検出信号に基づいて駆動手段が制御される場合には、シャッターが下方に移動させられて、開口部が閉じられる。これらにより、侵入者を威嚇・撃退させることができると共に、侵入者の屋内への侵入を阻止することができる。
【００２７】
請求項５に記載の発明は、検出手段が、シャッターが開口部を閉じた状態で座板部又は／及びスラット部からの検出量を基準値として記憶しており、基準値からの検出量の変動が所定の時間の範囲内で安定したと判断した場合には、検出手段から検出信号が出力されない。このように、例えば、シャッターの座板部又は／及びスラット部の近傍に偶発的に物体が置かれ検出手段での検出量が一時的に変動した場合でも、検出手段から検出信号が出力されないため、防犯シャッターシステムの誤作動を防止できる。
【００２８】
請求項６に記載の発明は、検出手段が変動後の検出量を基準値として更新するため、基準値をその都度設定し直す必要がなく、防犯シャッターシステムの防犯機能を維持できる。
【００２９】
請求項７に記載の発明は、シャッターの座板部又は／及びスラット部に、検出手段の検出能力を高める高検出手段が設けられているため、検出手段での検出精度を高めることができる。これにより、シャッターの座板部又は／及びスラット部の僅かな移動も検出手段で検出することができ、防犯機能を大幅に高めることができる。
【発明を実施するための最良の形態】
【００３０】
次に、本発明の一実施形態に係る防犯シャッターシステムについて、図面を参照して説明する。図１は防犯シャッターシステムの外観図であり、図２は防犯シャッターシステムを構成するブロック図である。
【００３１】
図１（Ａ）、（Ｂ）及び図２に示すように、防犯シャッターシステム１０は、開口部を開閉するシャッター１２と、このシャッター１２を外周に巻き付けることによりシャッター１２を上方（図１中矢印Ａ方向）へ移動させ、又は外周から巻き戻すことによりシャッター１２を下方（図１中矢印Ｂ方向）へ移動させる巻上部（シャッター移動手段）１４と、この巻上部１４を回転駆動（作動）させる駆動部（駆動手段）１６と、駆動部１６を制御する制御部（制御手段）１８と、を有している。
また、図３に示すように、シャッター１２は、複数のスラット（スラット部）１５が上下方向に連結されて構成されており、その最下部に位置するスラット１５には座板（座板部）１３が取り付けられている。
また、巻上部１４は、屋内側に位置するカバー部材２０に収納されて設けられており、カバー部材２０に形成されたスリット（図示省略）からシャッター１２が垂れ下がっている。
【００３２】
ここで、図１（Ａ）、（Ｂ）及び図２に示すように、カバー部材２０の下側面には、検出器（検出手段）２２が取り付けられている。この検出器２２は、後述の反射シール２４に向けて光を照射する発光素子（発光部）２２Ａと、後述の反射シール２４で反射された光を受光する受光素子（受光部）２２Ｂと、受光素子２２Ｂで受光された光の受光量を算出するＣＰＵ（演算部）２２Ｃと、光の受光量の基準値（後述）を記憶するＲＡＭ（記憶部）２２Ｄと、検出信号を制御部１８に送信する検出信号送信部（信号送信部）２２Ｅと、を有している。
これらの各構成部は、検出器２２の筐体の中に全て設けられていてもよく、また、複数に分かれて設けられていてもよい。
また、座板１３及びその近傍に位置するスラット１５の屋内側に面した側面には、光を効率良く反射させる反射シール（高反射手段、高検出手段）２４が設けられている。
なお、本実施形態では、光を発光すると共に反射された光を受光するタイプの検出器２２を例に取り説明したが、これに限られることはなく、超音波センサや画像センサを用いてもよい。特に、画像センサであればコントラストを増大させるチャートなどを用いてもよい。
【００３３】
また、図２に示すように、カバー部材２０の近傍には、所定の警報（音）を出力するスピーカ（音出力手段、図１では図示省略）２６が設けられている。また、スピーカ２６から出力させる警報などの音データが格納されているＲＡＭ（図１では図示省略）２８が設けられている。さらに、カバー部材２０の近傍には、シャッター１２に強い光を照射する照明ライト（光出射手段、図１では図示省略）３０が設けられている。
【００３４】
次に、本実施形態に係る防犯シャッターシステム１０の作用について、図４に示すフローチャートに基づいて説明する。
【００３５】
図１及び図２に示すように、制御部１８により駆動部１６が駆動制御されると、巻上部１４が回転駆動し、外周に巻き付いていたシャッター１２を巻き戻す。これにより、図３に示すように、シャッター１２が下方に移動し、開口部が閉じられる（ステップ１００）。
【００３６】
次に、ステップ１２０で検出器２２の電源がＯＮにされると、検出器２２の発光素子２２Ａが発光し、発光素子２２Ａから反射シール２４に向かって光が出射される。このとき、反射シール２４で反射された光の一部が受光素子２２Ｂで受光され、その光の受光量がＣＰＵ２２Ｃにより算出され、この算出結果が基準値としてＲＡＭ２２Ｄに格納される（ステップ１４０）。
【００３７】
次に、ＣＰＵ２２Ｃにより受光素子２２Ｂで受光される光の受光量が基準値と比較して変動するか否かが判断される（ステップ１６０）。
すなわち、図５に示すように、侵入者がシャッター１２の座板１３の下方にバール等の工具を挿入させて座板１３が持ち上げられると、座板１３あるいはスラット１５（両方又はいずれか一方のみでもよい）が上方向に移動する。座板１３あるいはスラット１５（両方又はいずれか一方のみでもよい）が上方向に移動すると、その移動に伴って座板１３又は／及びスラット１５が鉛直方向に対して傾斜し座板１３又は／及びスラット１５に屈曲する部位が生じる。このとき、反射シール２４上に照射される光の入射角度が、図３に示す座板１３又は／及びスラット１５の反射シール２４に照射される光の入射角度と異なるようになる。光の入射角度と異なると、反射シール２４上で光が反射する反射面積も変化する。光の反射面積が変化すると、検出器２２の受光素子２２Ｂで受光される光の受光量も変化し、基準値に対して変動するため、ＣＰＵ２２Ｃにより「異常有り」と判断される。
なお、検出器２２の受光素子２２Ｂで受光される光の受光量が基準値に対して変動していない場合には、ＣＰＵ２２Ｃにより「異常無し」と判断される。
【００３８】
次に、ＣＰＵ２２Ｃにより「異常有り」と判断されると、検出信号送信部２２Ｅから制御部１８に検出信号が出力される（ステップ１８０）。制御部１８に検出信号が出力されると、制御部１８により駆動部１６が制御され、巻上部１４がシャッター１２を巻き戻す方向（下方向）に回転駆動されて、シャッター１２がその自重により下方向に降下（自重降下）する（ステップ２００）。
また、ＣＰＵ２２Ｃにより「異常有り」と判断され、制御部１８に検出信号が出力されると、制御部１８によりスピーカ２６が制御され、スピーカ２６から所定の警報が出力される（ステップ２２０）。
さらに、ＣＰＵ２２Ｃにより「異常有り」と判断され、制御部１８に検出信号が出力されると、制御部１８により照明ライト３０が制御され、照明ライト３０からシャッター１２に向けて強い光が照射される（ステップ２４０）。
【００３９】
以上のように、本発明の防犯シャッターシステム１０によれば、侵入者が座板１３を持ち上げて侵入しようとすると、シャッター１２が自重降下するため、侵入者の屋内への侵入を阻止することができる。また、シャッター１２が自重降下すると、床面に衝突する際に大きな落下音が発生し、この落下音によって侵入者を威嚇・撃退させることができる。
また、侵入者が座板１３を持ち上げて侵入しようとすると、スピーカ２６から所定の警報が出力されるため、この警報によっても、侵入者を威嚇・撃退させることができる。
さらに、侵入者が座板１３を持ち上げて侵入しようとすると、照明ライト２８から強い光がシャッター１２に向けて照射されるため、この光により侵入者を威嚇・撃退させることができる。
【００４０】
また、検出器２２が座板１３に設けられておらず、検出器２２が比較的上方に位置するカバー部材２０に取り付けられているため、床面が浸水した場合などでも検出器２２が故障・破損してしまうことを防止できる。また、検出器２２が座板１３に設けられていないので、シャッター１２が降下し床面と衝突するときの衝撃が検出器２２に伝わらず、シャッター１２の降下などの外的作用に伴う検出器２２の故障・破損を防止できる。
【００４１】
さらに、強風や地震などの自然作用によりシャッター１２の座板１３が持ち上がることがないため、検出器２２における受光量が基準値に対して変動することがなく、検出器２２からも検出信号が出力されない。これにより、自然作用が原因となる誤作動を防止できる。
【００４２】
次に、本実施形態に係る防犯シャッターシステム１０の作用の変形例について、図６に示すフローチャートに基づいて説明する。
【００４３】
図１及び図２に示すように、制御部１８により駆動部１６が駆動制御されると、巻上部１４が回転駆動し、外周に巻き付いていたシャッター１２を巻き戻す。これにより、図３に示すように、シャッター１２が下方に移動し、開口部が閉じられる（ステップ３００）。
【００４４】
次に、ステップ３２０で検出器２２がＯＮにされると、検出器２２の発光素子２２からシャッター１２に設けられた反射シール２４に向かって光が出射される。このとき、反射シール２４で反射された光の一部が検出器２２の受光素子２２で受光され、その光の受光量がＣＰＵ２２Ｃにより算出される。この算出結果に基づいてＣＰＵ２２Ｃにより光の受光量が（一定時間）安定しているか否かが判断される（ステップ３４０）。この結果、ＣＰＵ２２Ｃにより光の受光量が安定していると判断されると、この算出結果が基準値として確定される（ステップ３６０）。この確定された基準値は、データとしてＲＡＭ２２Ｄに格納される（ステップ３８０）。
【００４５】
次に、ＣＰＵ２２Ｃにより光の受光量が所定の時間以上に亘って変動しているか否かが判断される（ステップ４００）。すなわち、図７に示すように、反射シール２４の近傍（光路上）に偶発的に物体が置かれると、物体に照射された光はその物体で反射するため、検出器２２の受光素子２２Ｂで受光される光の受光量がより多く（あるいはより少なく）なるため、受光素子２２Ｂで受光される光の受光量が基準値に対して変動する（受光量の変動時間ｔ）。ＣＰＵ２２Ｃにより光の受光量が所定の時間Ｔ以上に亘って変動していない（ｔ＜Ｔ）と判断されると、ＣＰＵ２２ＣによりＲＡＭ２２Ｄに格納されている基準値が変動後の光の受光量（変動の後、安定した受光量を意味する）に更新される（ステップ４２０）。例えば、ステップ４２０は、光路上に偶発的に物体が置かれると、僅かな時間ｔだけ光の受光量が基準値に対して変動するが、やがて光の受光量が安定し、この安定した光の受光量が基準値として更新されることを意図している。
なお、この場合、駆動部１６、スピーカ２６及び照明ライト３０は制御部１８により制御されないため、シャッター１２は降下せず、スピーカ２６から警報も出力されず、さらに照明ライト３０から光が照射されない。
また、ステップ４２０において受光量の基準値が更新されると、ステップ３８０においてその更新された基準値がＲＡＭ２２Ｄに格納され、以後、この基準値に基づいてＣＰＵ２２Ｃにより光の受光量の変動が判断される。
【００４６】
次に、図５に示すように、侵入者がシャッター１２の座板１３の下方にバール等の工具を挿入させて座板１３が持ち上げられると、図８に示すように、検出器２２の受光素子２２Ｂで受光される光の受光量が所定の時間Ｔ以上（ｔ≧Ｔ）に亘って変動する（図８ではｔ＝Ｔを図示）。このとき、ＣＰＵ２２Ｃにより「異常有り」と判断され、検出信号送信部２２Ｅから制御部１８に検出信号が出力される（ステップ４６０）。制御部１８に検出信号が出力されると、制御部１８により駆動部１６が制御され、巻上部１４がシャッター１２を巻き戻す方向（下方向）に回転駆動されて、シャッター１２がその自重により下方向に降下（自重降下）する（ステップ４８０）。
また、ＣＰＵ２２Ｃにより「異常有り」と判断され、制御部１８に検出信号が出力されると、制御部１８によりスピーカ２６が制御され、スピーカ２６から所定の警報が出力される（ステップ５００）。
さらに、ＣＰＵ２２Ｃにより「異常有り」と判断され、制御部１８に検出信号が出力されると、制御部１８により照明ライト３０が制御され、照明ライト３０からシャッター１２に向けて強い光が照射される（ステップ５２０）。
【００４７】
以上のように、本変形例では、光路上に偶発的にある物体が置かれた場合でも、この物体と侵入者とを判別することができる。これにより、光路上に偶発的にある物体が置かれた場合には、シャッター１２が降下せず、スピーカ２６から警報が出力されず、さらに照明ライト３０から光が照射されないため、防犯シャッターシステム１０の誤作動を防止することができる。
【図面の簡単な説明】
【００４８】
【図１】（Ａ）は本発明の一実施形態に係る防犯シャッターシステムの正面図であり、（Ｂ）はその側面図である。
【図２】本発明の一実施形態に係る防犯シャッターシステムの構成を示すブロック図である。
【図３】本発明の一実施形態に係る防犯シャッターシステムを構成するシャッターの部分的な構成図である。
【図４】本発明の一実施形態に係る防犯シャッターシステムの作用を示すフローチャートである。
【図５】本発明の一実施形態に係る防犯シャッターシステムを構成するシャッターが移動した状態を示す状態図である。
【図６】本発明の一実施形態に係る防犯シャッターシステムの作用の変形例を示すフローチャートである。
【図７】物体が偶発的に検出エリアに置かれた場合の検出手段における受光量の変動を示す図である。
【図８】侵入者が侵入した場合の検出手段における受光量の変動を示す図である。
【図９】従来の防犯シャッターシステムの概略構成図である。
【符号の説明】
【００４９】
１０          防犯シャッターシステム
１２          シャッター
１３          座板（座板部）
１４          巻上部（シャッター移動手段）
１５          スラット（スラット部）
１６          駆動部（駆動手段）
１８          制御部（制御手段）
２２          検出器（検出手段）
２２Ａ        発光素子（発光部）
２２Ｂ        受光素子（受光部）
２２Ｃ        ＣＰＵ（演算部）
２２Ｄ        ＲＡＭ（記憶部）
２２Ｅ        検出信号送信部（信号送信部）
２４          反射シール（高反射手段、高検出手段）
２６          スピーカ（音出力手段）
３０          照明ライト（光出射手段）
【図１】
2005290743.tif 000003
【図２】
2005290743.tif 000004
【図３】
2005290743.tif 000005
【図４】
2005290743.tif 000006
【図５】
2005290743.tif 000007
【図６】
2005290743.tif 000008
【図７】
2005290743.tif 000009
【図８】
2005290743.tif 000010
【図９】
2005290743.tif 000011